(57)【要約】【課題】例えばディスプレイ部を縦長状態から横長状態に９０度回動切り替え使用する場合において、いずれの方向に回動しても回動開始位置が自動的に位置保持され、少し回動して回動途中位置を超えれば自動的に切り替え回動可能となる電子機器を容易に実現すること。【解決手段】第一部材１に対して第二部材２がカム縁６の形状によって径方向に自動的に相対スライド移動しつつ相対回動するように構成し、このカム縁６の形状は、回動支点となる連結ピン３を設けた位置と、回動開始位置とを中央とし、この回動開始位置の左右から夫々前記連結ピン３位置へと続く形状とし、前記回動開始位置から正逆に回動するに際して前記カム当接部５がならい移動するこの左右のいずれの形状も、連結ピン３との距離が回動途中位置まで徐々に大きくなりこの回動途中位置を超えると徐々に距離が小さくなる形状に設定した回動連結装置。【選択図】図１
2008278165.tif 000002
【特許請求の範囲】
【請求項１】
第一部材と第二部材とを重合状態にしてこの重合面に沿って回動自在に連結する回動連結装置であって、前記第一部材若しくはこの第一部材に取り付ける第一取付部に、回動支点となる連結ピン若しくは連結ピンに相対スライド自在に係合し径方向に長さを有するスライドガイド部を設け、前記第二部材若しくはこの第二部材に取り付ける第二取付部に前記スライドガイド部若しくは前記連結ピンを設けて、前記第一部材に対して前記第二部材が重合面に沿って相対回動自在にして径方向に相対スライド自在となるように構成し、前記第一部材若しくは第一取付部にカム当接部若しくはカム当接部が相対回動する際に当接してならい移動するカム縁を設け、前記第二部材若しくは前記第二取付部に前記カム縁若しくはカム当接部を設け、前記カム当接部を前記カム縁に押圧付勢する付勢部を設けて、前記第一部材に対して前記第二部材が重合面に沿って回動する際、前記カム当接部が前記付勢部によって前記カム縁に押圧当接しつつこのカム縁と前記連結ピンとの距離の変化に応じて前記連結ピンに対して前記スライドガイド部が相対スライド移動して、前記第一部材に対して前記第二部材が前記カム縁の形状によって径方向に自動的に相対スライド移動しつつ相対回動するように構成し、前記カム縁の形状は、前記連結ピンを設けた位置と、前記第一部材に対して前記第二部材が回動開始する回動開始位置とを中央とし、この回動開始位置の左右から夫々前記連結ピン位置へと続く形状とし、前記回動開始位置から正逆に回動するに際して前記カム当接部がならい移動するこの左右のいずれの形状も、この回動開始位置より正逆に夫々９０度回動させるに際し、前記連結ピンとの距離が回動途中位置まで徐々に大きくなりこの回動途中位置を超えると徐々に距離が小さくなる形状に設定して、正逆いずれの方向にも回動可能であると共に、前記回動途中位置まではこのカム縁の形状と前記付勢部の押圧付勢によって回動開始位置へ戻ろうとする戻り回動付勢力が生じ前記回動途中位置を超えると逆に９０度回動位置へ向かおうとする回動付勢力が生じるように構成したことを特徴とする回動連結装置。
【請求項２】
前記第一部材に取り付ける前記第一取付部に、径方向に長さを有する前記スライドガイド部を設け、前記第二部材に取り付ける前記第二取付部に、前記スライドガイド部が相対スライド自在に係合する前記回動支点となる連結ピンを設け、前記第一取付部の前記スライドガイド部を設けた長さ方向位置に前記カム当接部を設け、前記第二取付部に前記カム当接部がならい移動するカム縁を設け、前記スライドガイド部を設けた前記第一取付部と、前記連結ピンを設けた前記第二取付部との間に前記カム当接部を前記カム縁に押圧付勢する前記付勢部を設けたことを特徴とする請求項１記載の回動連結装置。
【請求項３】
前記第二部材に取り付ける板状の前記第二取付部に回動支点となる前記連結ピンを突設し、この連結ピンに相対スライド自在に係合し径方向に長さを有する長窓状の前記スライドガイド部を前記第一部材に取り付ける板状の前記第一取付部に設け、この第一取付部の前記スライドガイド部の長さ方向位置にピン状の前記カム当接部を突設し、このカム当接部が係合し内縁を前記カム縁とするカム溝を前記第二取付部に設け、前記連結ピンにバネ取付部を回動自在に設け、このバネ取付部と前記第一取付部とに抗伸バネを前記付勢部として連結したことを特徴とする請求項２記載の回動連結装置。
【請求項４】
前記カム縁の形状は、前記連結ピンを設けた位置と前記回動開始位置で前記カム当接部が位置する前記基準位置とを中央としこの中央ラインを境に、前記基準位置から夫々山状に滑らかに湾曲して前記連結ピン位置へと続く左右対称形状とし、前記回動開始位置から前記正逆回動に際して前記カム当接部が中央の前記基準位置から左右にならい移動する際、正逆いずれの回動も回動途中位置までは前記連結ピンとの距離が前記基準位置に比べて徐々に大きくなる形状として、この回動途中位置までは前記付勢部によって戻り回動付勢力が生じ基準位置にあるときは位置保持作用が生じるように構成し、前記回動途中位置を超えると前記連結ピンとの距離が逆に徐々に短くなる形状として、この回動途中位置を超えると前記付勢部によって回動付勢力が生じ正逆いずれの回動も９０度回動した位置では位置保持作用が生じるように構成したことを特徴とする請求項１〜３のいずれか１項に記載の回動連結装置。
【請求項５】
ベース部と、このベース部に重合しこの重合面に沿って回動自在に設ける重合回動部とを回動連結装置により連結し、この回動連結装置は、前記ベース部を前記第一部材若しくは第二部材とし、前記重合回動部を前記第二部材若しくは第一部材とした前記請求項１〜４のいずれか１項に記載の回動連結装置としたことを特徴とする回動連結装置を用いた電子機器。
【請求項６】
前記操作部を設けた本体部にディスプレイ部を設けた重合部を起伏回動自在に設け、このディスプレイ部を設けた重合部は、前記本体部に起伏回動自在に設ける前記ベース部に、このベース部に重合しこの重合面に沿って回動自在に設ける重合回動部とから成り、この重合回動部に前記ディスプレイ部を設ける構成とし、このベース部とディスプレイ部を設ける重合回動部を回動連結装置で連結し、この回動連結装置は、前記ベース部を前記第一部材若しくは第二部材とし、前記重合回動部を前記第二部材若しくは第一部材とした前記請求項１〜４のいずれか１項に記載の回動連結装置としたことを特徴とする請求項５記載の回動連結装置を用いた電子機器。
【請求項７】
ディスプレイ部を設けた前記重合回動部は、重合面方向に正逆夫々９０度回動切り替え自在に構成して、縦長ディスプレイ状態から正逆いずれかに９０度回動して横長ディスプレイ状態に切り替え自在に構成したことを特徴とする請求項５，６のいずれか１項に記載の回動連結装置を用いた電子機器。
【発明の詳細な説明】
【技術分野】
【０００１】
本発明は、第一部材に重合した第二部材を重合面に沿って回動自在に連結する回動連結装置並びに回動連結装置を用いた携帯電話・モバイル・デジタルカメラ・ノート型パソコンなどの電子機器に関するものである。
【背景技術】
【０００２】
第一部材に重合した第二部材を重合面に沿って回動させる場合、回動開始位置から回動途中位置までは戻り回動付勢力が生じることで回動開始位置での位置保持作用が生じ、この回動途中位置を超えるまで回動すると、今度は逆に例えば９０度回動位置への回動付勢力が生じて、軽い力で回動できたり、この回動付勢力を大きくすることで前記回動途中位置を超えるところまで回動すれば後は一挙にこの回動付勢力によって自動的に例えば９０度回動位置まで回動する回動連結装置が提案されている。
【０００３】
例えば、ディスプレイ部をワンセグＴＶ画面として利用する携帯電話などにおいて、このディスプレイ部を縦長状態から９０度回動した横長状態に自在に切り替えできる回動連結装置として提案されている。
【０００４】
具体的には例えば、携帯電話の操作部を設けた本体部にディスプレイ部を設けた重合部を起伏回動自在にヒンジ装置で連結し、この重合部を本体部に対して前記ヒンジ装置で起伏回動自在に連結するベース部と、このベース部に９０度回動自在に連結する重合回動部とで前記重合部を構成し、この重合部の重合回動部にディスプレイ部を設け、この重合回動部とベース部とを前記回動連結装置で連結し、本体部に対して重合状態あるいは起伏回動した開放状態で、ディスプレイ部を設けた重合回動部をベース部に対して９０度回動自在に設け、ワンセグＴＶ画面として使用する場合はこれを９０度回動して、横長ディスプレイとして使用できるように構成する。
【発明の開示】
【発明が解決しようとする課題】
【０００５】
従来提案されている回動連結装置は、前述のように回動途中位置で付勢向きが自動的に切り替わり、十分な戻り付勢が生じると共にその回動途中位置を超えれば進み付勢が生じて回動操作が軽くなったり自動回動が可能となったり、９０度回動位置がこの付勢によって位置保持されるため、非常に便利である。
【０００６】
がしかしそのため、この付勢を生じさせるためのバネを配設しなければならないし、このバネによる付勢を生じさせながらこの回動をガイドするガイド部を設けたりする必要性があることから、構成が複雑となったり、またそれ故に正逆双方には回動はできず、片側一方向のみの９０度往復回動に限られる。
【０００７】
本発明は、回動操作できる方向が片側一方向のみでなく、左右いずれの方向、即ち正逆いずれの回動方向にも可能であって、しかも正逆いずれの回動の際しても前述の回動途中位置を超えると戻り回動付勢から進み回動付勢に自動的に切り替わり、これまで通り回動開始位置での位置保持作用や９０度回動位置での位置保持作用や途中まで回動してやればその後は回動が軽くなったり自動回動させたりすることができ、また回動当初は回動する部材が方形状であっても角部が邪魔にならず中央を支点に横長状態に回動でき、従って簡易の構成で容易に実現可能な構成でありながら従来通りの前記作用・効果が生じる回動を実現でき、しかも簡易な構成でありながら正逆いずれに回動してもこの作用・効果を生じ、非常に使い易くそれだけ使用用途が広がり実用性に秀れ、例えばディスプレイ部を縦長状態から横長状態に切り替え使用する場合においても、いずれの方向に回動しても回動開始位置が自動的に位置保持され、いずれの方向にも少し回動して回動途中位置を超えれば軽くあるいは自動的に切り替え回動可能となり、またたとえ方形状でもスムーズに中央を支点に切り替え回動可能となる電子機器を容易に実現できる画期的な回動連結装置並びに回動連結装置を用いた電子機器を提供することを目的としている。
【課題を解決するための手段】
【０００８】
添付図面を参照して本発明の要旨を説明する。
【０００９】
第一部材１と第二部材２とを重合状態にしてこの重合面に沿って回動自在に連結する回動連結装置であって、前記第一部材１若しくはこの第一部材１に取り付ける第一取付部１Ａに、回動支点となる連結ピン３若しくは連結ピン３に相対スライド自在に係合し径方向に長さを有するスライドガイド部４を設け、前記第二部材２若しくはこの第二部材２に取り付ける第二取付部２Ａに前記スライドガイド部４若しくは前記連結ピン３を設けて、前記第一部材１に対して前記第二部材２が重合面に沿って相対回動自在にして径方向に相対スライド自在となるように構成し、前記第一部材１若しくは第一取付部１Ａにカム当接部５若しくはカム当接部５が相対回動する際に当接してならい移動するカム縁６を設け、前記第二部材２若しくは前記第二取付部２Ａに前記カム縁６若しくはカム当接部５を設け、前記カム当接部５を前記カム縁６に押圧付勢する付勢部７を設けて、前記第一部材１に対して前記第二部材２が重合面に沿って回動する際、前記カム当接部５が前記付勢部７によって前記カム縁６に押圧当接しつつこのカム縁６と前記連結ピン３との距離の変化に応じて前記連結ピン３に対して前記スライドガイド部４が相対スライド移動して、前記第一部材１に対して前記第二部材２が前記カム縁６の形状によって径方向に自動的に相対スライド移動しつつ相対回動するように構成し、前記カム縁６の形状は、前記連結ピン３を設けた位置と、前記第一部材１に対して前記第二部材２が回動開始する回動開始位置とを中央とし、この回動開始位置の左右から夫々前記連結ピン３位置へと続く形状とし、前記回動開始位置から正逆に回動するに際して前記カム当接部５がならい移動するこの左右のいずれの形状も、この回動開始位置より正逆に夫々９０度回動させるに際し、前記連結ピン３との距離が回動途中位置まで徐々に大きくなりこの回動途中位置を超えると徐々に距離が小さくなる形状に設定して、正逆いずれの方向にも回動可能であると共に、前記回動途中位置まではこのカム縁６の形状と前記付勢部７の押圧付勢によって回動開始位置へ戻ろうとする戻り回動付勢力が生じ前記回動途中位置を超えると逆に９０度回動位置へ向かおうとする回動付勢力が生じるように構成したことを特徴とする回動連結装置に係るものである。
【００１０】
また、前記第一部材１に取り付ける前記第一取付部１Ａに、径方向に長さを有する前記スライドガイド部４を設け、前記第二部材２に取り付ける前記第二取付部２Ａに、前記スライドガイド部４が相対スライド自在に係合する前記回動支点となる連結ピン３を設け、前記第一取付部１Ａの前記スライドガイド部４を設けた長さ方向位置に前記カム当接部５を設け、前記第二取付部２Ａに前記カム当接部５がならい移動するカム縁６を設け、前記スライドガイド部４を設けた前記第一取付部１Ａと、前記連結ピン３を設けた前記第二取付部２Ａとの間に前記カム当接部５を前記カム縁６に押圧付勢する前記付勢部７を設けたことを特徴とする請求項１記載の回動連結装置に係るものである。
【００１１】
また、前記第二部材２に取り付ける板状の前記第二取付部２Ａに回動支点となる前記連結ピン３を突設し、この連結ピン３に相対スライド自在に係合し径方向に長さを有する長窓状の前記スライドガイド部４を前記第一部材１に取り付ける板状の前記第一取付部１Ａに設け、この第一取付部１Ａの前記スライドガイド部４の長さ方向位置にピン状の前記カム当接部５を突設し、このカム当接部５が係合し内縁を前記カム縁６とするカム溝９を前記第二取付部２Ａに設け、前記連結ピン３にバネ取付部10を回動自在に設け、このバネ取付部10と前記第一取付部１Ａとに抗伸バネを前記付勢部７として連結したことを特徴とする請求項２記載の回動連結装置に係るものである。
【００１２】
また、前記カム縁６の形状は、前記連結ピン３を設けた位置と前記回動開始位置で前記カム当接部５が位置する前記基準位置６Ａとを中央としこの中央ラインを境に、前記基準位置６Ａから夫々山状に滑らかに湾曲して前記連結ピン３位置へと続く左右対称形状とし、前記回動開始位置から前記正逆回動に際して前記カム当接部５が中央の前記基準位置６Ａから左右にならい移動する際、正逆いずれの回動も回動途中位置までは前記連結ピン３との距離が前記基準位置６Ａに比べて徐々に大きくなる形状として、この回動途中位置までは前記付勢部７によって戻り回動付勢力が生じ基準位置６Ａにあるときは位置保持作用が生じるように構成し、前記回動途中位置を超えると前記連結ピン３との距離が逆に徐々に短くなる形状として、この回動途中位置を超えると前記付勢部７によって回動付勢力が生じ正逆いずれの回動も９０度回動した位置では位置保持作用が生じるように構成したことを特徴とする請求項１〜３のいずれか１項に記載の回動連結装置に係るものである。
【００１３】
また、ベース部と、このベース部に重合しこの重合面に沿って回動自在に設ける重合回動部とを回動連結装置により連結し、この回動連結装置は、前記ベース部を前記第一部材１若しくは第二部材２とし、前記重合回動部を前記第二部材２若しくは第一部材１とした前記請求項１〜４のいずれか１項に記載の回動連結装置としたことを特徴とする回動連結装置を用いた電子機器に係るものである。
【００１４】
また、前記操作部を設けた本体部にディスプレイ部を設けた重合部を起伏回動自在に設け、このディスプレイ部を設けた重合部は、前記本体部に起伏回動自在に設ける前記ベース部に、このベース部に重合しこの重合面に沿って回動自在に設ける重合回動部とから成り、この重合回動部に前記ディスプレイ部を設ける構成とし、このベース部とディスプレイ部を設ける重合回動部を回動連結装置で連結し、この回動連結装置は、前記ベース部を前記第一部材１若しくは第二部材２とし、前記重合回動部を前記第二部材２若しくは第一部材１とした前記請求項１〜４のいずれか１項に記載の回動連結装置としたことを特徴とする請求項５記載の回動連結装置を用いた電子機器に係るものである。
【００１５】
また、ディスプレイ部を設けた前記重合回動部は、重合面方向に正逆夫々９０度回動切り替え自在に構成して、縦長ディスプレイ状態から正逆いずれかに９０度回動して横長ディスプレイ状態に切り替え自在に構成したことを特徴とする請求項５，６のいずれか１項に記載の回動連結装置を用いた電子機器に係るものである。
【発明の効果】
【００１６】
本発明は上述のように構成したから、回動操作できる方向が片側一方向のみでなく、左右いずれの方向、即ち正逆いずれの回動方向にも可能であって、しかも正逆いずれの回動の際しても前述の回動途中位置を超えると戻り回動付勢から進み回動付勢に自動的に切り替わり、これまで通り回動開始位置での位置保持作用や９０度回動位置での位置保持作用や途中まで回動してやればその後は回動が軽くなったり自動回動させたりすることができ、また回動当初は回動する部材が方形状であっても角部が邪魔にならず中央を支点に横長状態に回動でき、従って簡易の構成で容易に実現可能な構成でありながら従来通りの前記作用・効果が生じる回動を実現でき、しかも簡易な構成でありながら正逆いずれに回動してもこの作用・効果を生じ、非常に使い易くそれだけ使用用途が広がり実用性に秀れた画期的な回動連結装置となる。
【００１７】
また、請求項２，３，４記載の発明においては、一層容易な構成で本発明を容易に実現できる一層秀れた回動連結装置となる。
【００１８】
また、請求項５，６，７記載の発明においては、前記作用・効果を発揮する電子機器であって、特に請求項６，７記載の発明においてはディスプレイ部をいずれの方向にも９０度回動切り替え自在にして縦長ディスプレイ状態から横長ディスプレイ状態に切り替えでき、しかも回動開始位置では、その位置が付勢保持され、且ついずれの方向へも回動途中位置までこの付勢に抗して回動すれば、後は回動が軽くなったり自動的に９０度回動することとなり、またたとえ方形状でもスムーズに中央を支点に切り替え回動可能となる極めて実用性に秀れた双方向に９０度回動切り替え自在なディスプレイ部を有する画期的な電子機器となる。
【発明を実施するための最良の形態】
【００１９】
好適と考える本発明の実施形態（発明をどのように実施するか）を、図面に基づいて本発明の作用を示して簡単に説明する。
【００２０】
第一部材１に対して第二部材２を重合面に沿って回動すると、第二部材２は連結ピン３を支点に回動するが、この際連結ピン３に対してスライドガイド部４が相対スライドすることで第二部材は径方向に所定長スライド移動しつつ回動する。
【００２１】
一方、カム当接部５は付勢部７の付勢によりカム縁６に押圧当接しながら、このカム縁６に沿って回動移動するが、このカム縁６と連結ピン３との距離が回動方向で徐々に変化する形状にカム縁６を設定しているから、第一部材１に対して第二部材２を回動すると、カム縁６の形状に対応して（回動位置に応じて）第二部材２が径方向にスライド移動及び戻りスライド移動しながら回動することとなる。
【００２２】
即ち、例えば第一部材１に取り付ける第一取付部１Ａに、前記連結ピン３とカム縁６を内縁とするカム溝９とを設け、第二部材２に取り付ける第二取付部２Ａに、連結ピン３に係合するスライドガイド部４と付勢部７によって押圧当接してカム縁６に沿ってならい移動するカム溝９に係合するカム当接部５とを設けて第一部材１と第二部材２とを回動自在に連結すると、カム当接部５がならい移動するがこのカム縁６（カム溝９）を回動開始位置に対して左右いずれの方向にも形成していることでいずれの方向にも回動可能となる。そして例えば片側の一方向に回動すると連結ピン３とカム当接部５との距離が徐々に長くなるため、付勢部７の付勢に抗して連結ピン３に対してスライドガイド部４がスライド移動（第一部材１に対して第二部材２が径方向にスライド移動）しつつ回動する。
【００２３】
このため回動当初は戻り付勢力が生じることとなり、回動開始位置での位置保持作用が生じる。またこの連結ピン３とカム当接部５との距離が徐々に大きくなることで第一部材１に対して第二部材２がそれに応じて径方向にスライド移動する。
【００２４】
即ち、この動きを規制制御するカム縁６の形状設定により第二部材２が第一部材１に対して径方向にスライド移動しながら回動するため、例えば第一部材１と第二部材２とが互いに同形の方形状であったり、回動させる第二部材２が横幅のある縦長方形であり、回動下辺部が所定幅ありこのまま９０度回動したのでは左右の角度が何かに当たって回動できなかったりスムーズに回動できなかったり、また中央位置を支点に回動できず横長となるように９０度回動しても中心が片側に寄った横長状態とをせざるを得なかったりする場合があるが、本発明によれば、カム縁６の形状によって９０度回動の回動当初範囲では連結ピン３とカム縁６との距離が徐々に大きくなることで、第一部材１に対して第二部材２が径方向にスライド移動しつつ（持ち上がりつつ）回動し更に回動途中位置を超えるとその距離が短くなるので今度は第二部材２は逆に径方向の戻り方向に戻りスライド移動しながら９０度回動位置へと回動するように設計したため、このカム縁６のカーブ度合の設計によってこのような問題なくスムーズに中央の連結ピン３を支点に９０度回動でき、中央を回動支点に片側に寄ることなく横長状態に倒すことができることとなる。
【００２５】
また、このように回動途中位置を超えると連結ピン３とカム縁６との距離は逆に徐々に短くなるため、前述のようにこの回動途中位置を超えるまではいずれの回動方向への回動に際しても付勢力７による戻り付勢力が生じ、よって回動開始位置に戻ろうとする位置保持作用が生じると共に、第一部材１に対して第二部材２をスライドさせて第二部材２の左右直角が回動の支障とならないように持ち上がりつつ回動する。そして、この付勢力７の付勢に抗して連結ピン３に対してスライドガイド部４をスライド移動させつつ回動途中位置を超えると、今度はこの付勢力７の付勢力が進み付勢力となって連結ピン３に対して戻りスライドガイド部４は逆方向にスライド移動しつつ回動することとなる。
【００２６】
従って、この回動途中位置を超えると、後は軽い力で回動できたり、自動的に回動したりさせることができると共に、９０度回動位置が位置保持され、また一度持ち上がりつつ回動した第二部材２が元に戻るようにして回動することになる。
【００２７】
また、この付勢力７の強さやカム縁６の連結ピン３の距離の変化の度合の設定によって、この戻り付勢力や進み付勢力の強さを調整可能で、進み付勢力を大きくすれば回動を軽くしたり、自動的に９０度位置まで回動するように設定することも可能となる。
【００２８】
このように、回動途中位置まで戻り付勢力が生じこの回動途中位置を超えると回動付勢力（進み付勢力）が生じるように構成できると共に、簡易な構成でこのような回動動作を正逆いずれの方向に回動しても生じるように構成すること及び、前述のように持ち上がって戻りスライドしつつスムーズに中央を支点に回動することなどが容易に実現できることとなる。
【実施例】
【００２９】
本発明の具体的な実施例について図面に基づいて説明する。
【００３０】
本発明は、携帯電話のワンセグＴＶ画面を表示できるディスプレイ部が縦長ディスプレイ状態から９０度回動して横長ディスプレイ状態にその中央を支点に切り替え回動自在に設けた携帯電話に適用したものである。
【００３１】
即ち、本実施例は、操作部を設けた本体部にディスプレイ部を設けた重合部を起伏回動自在に設け、このディスプレイ部を設けた重合部は、前記本体部に起伏回動自在に設けるベース部１に、このベース部１に重合しこの重合面に沿って回動自在に設ける重合回動部２とから成り、この重合回動部２に前記ディスプレイ部を設ける構成とし、このベース部１とディスプレイ部を設ける重合回動部２とを回動連結装置で連結している。
【００３２】
従って、方形縦長のディスプレイ部を設けた前記重合回動部２は、重合面方向に正逆夫々９０度回動切り替え自在に構成して、縦長ディスプレイ状態から正逆いずれかに９０度回動して横長ディスプレイ状態に切り替え自在に構成している。
【００３３】
このように、本実施例ではこのベース部１を第一部材１とし、ディスプレイ部を設ける重合回動部２を第二部材２としてこれを正逆双方に９０度切り替え回動自在に回動連結装置によって連結するが、本実施例のこの回動連結装置について以下説明する。
【００３４】
前記第一部材１（ベース部１）に取り付ける板状の第一取付部１Ａの中央に、径方向に長さを有する長窓状のスライドガイド部４を設け、前記第二部材２（ディスプレイ部を設ける重合回動部２）に取り付ける板状の第二取付部２Ａの中央には、このスライドガイド部４が相対スライド自在に係合する回動支点となる連結ピン３を設けている。
【００３５】
また、この第一取付部１Ａの前記スライドガイド部４を設けた長さ方向位置にカム当接部５を設け、第二取付部２Ａにこのカム当接部５がならい移動するカム縁６を内縁とするガイド溝９を設け、このスライドガイド部４を設けた第一取付部１Ａと、連結ピン３を設けた第二取付部２Ａとの間にカム当接部５をカム縁６に押圧付勢する付勢部７を設けている。
【００３６】
即ち、具体的には、縦長方形板状の第二取付部２Ａに回動支点となる連結ピン３を中央に突設し、この連結ピン３に相対スライド自在に係合し径方向に長さを有する長窓状の溝を前記スライドガイド部４として同幅方形状の板状の第一取付部１Ａに設けている。
【００３７】
この第一取付部１Ａの前記スライドガイド部４の長さ方向位置にピン状のカム当接部５を突設し、このカム当接部５が係合し内縁を前記カム縁６とするカム溝９を中央を境にして左右対称形状に第二取付部２Ａに設けている。
【００３８】
またこの連結ピン３に第一取付部１Ａの回動に伴って回動するように左右に腕状に延びるバネ取付部10を回動自在に設け、このバネ取付部10と前記第一取付部１Ａとに抗伸バネを付勢部７として連結している。即ち、左右に延びたバネ取付部10に夫々抗伸バネとしてのコイルバネ７の一端部を取り付け、この左右のコイルバネ７を板状の第一取付部１Ａに設けた開口部11に配置されるようにし、この各コイルバネ７の他端部をこの第一取付部１Ａの開口部内縁のバネ係止部12に係止して、このバネ７が縮もうとするバネ付勢によってバネ取付部10を介して連結ピン３に対して第一取付部１Ａが引っ張り付勢され、連結ピン３を設けた第二取付部２Ａに形成したカム溝９（カム縁６）に対して第一取付部１Ａに設けたカム当接部５が押圧付勢されるように構成している。
【００３９】
従って、第一部材１に対して第二部材２が重合面に沿って回動する際、カム当接部５が付勢部７によってカム縁６に押圧当接しつつこのカム縁６と前記連結ピン３との距離の変化に応じて連結ピン３に対してスライドガイド部４が相対スライド移動して、第一部材１に対して第二部材２が前記カム縁６の形状によって径方向に自動的に相対スライド移動しつつ相対回動するように構成している。
【００４０】
また、本実施例では、前記カム縁６（カム溝９）の形状は、連結ピン３を設けた位置と、第一部材１に対して第二部材２が回動開始する回動開始位置とを中央とし、この回動開始位置の左右から夫々連結ピン３へと続く形状とし、回動開始位置から正逆に回動するに際してカム当接部５がならい移動するこの左右のいずれの形状も、この回動開始位置より正逆に夫々９０度回動させるに際し、前記連結ピン３との距離が回動途中位置まで徐々に大きくなりこの回動途中位置を超えると徐々に距離が小さくなる形状に設定して、正逆いずれの方向にも回動可能であると共に、前記回動途中位置まではこのカム縁６の形状と前記付勢部７の押圧付勢によって回動開始位置へ戻ろうとする戻り回動付勢力が生じ前記回動途中位置を超えると逆に９０度回動位置へ向かおうとする回動付勢力が生じるように構成している。
【００４１】
具体的には、前記カム縁６の形状は、前記連結ピン３を設けた位置と前記回動開始位置で前記カム当接部５が位置する前記基準位置６Ａとを中央としこの中央ラインを境に、基準位置６Ａから夫々山状に滑らかに湾曲して連結ピン３位置へと続く左右対称形状とし、前記回動開始位置から正逆回動に際してカム当接部５が中央の前記基準位置６Ａから左右にならい移動する際、正逆いずれの回動も回動途中位置までは前記連結ピン３との距離が前記基準位置６Ａに比べて徐々に大きくなる形状として、この回動途中位置までは前記付勢部７によって戻り回動付勢力が生じ基準位置６Ａにあるときは位置保持作用が生じるように構成し、前記回動途中位置を超えると前記連結ピン３との距離が逆に徐々に短くなる形状として、この回動途中位置を超えると前記付勢部７によって回動付勢力が生じ正逆いずれの回動も９０度回動した位置では位置保持作用が生じるように構成している。
【００４２】
そして本実施例では、カム縁６の形状によって９０度回動の回動当初範囲では連結ピン３とカム縁６との距離が徐々に大きくなることで、第一部材１に対して第二部材２が径方向にスライド移動しつつ（持ち上がりつつ）回動し更に回動途中位置を超えるとその距離が短くなるので今度は第二部材２は逆に径方向の戻り方向に戻りスライド移動しながら９０度回動位置へと回動するように設計したため、このカム縁６のカーブ度合の設計によって第二部材２の下辺部左右の角部が干渉して回動できなくなることはなく、持ち上がりつつ逃げるようにしてスムーズに中央の連結ピン３を支点に９０度回動でき、中央を回動支点に片側に寄ることなく横長状態に倒すことができることとなる。
【００４３】
即ち、このように回動途中位置を超えると連結ピン３とカム縁６との距離は逆に徐々に短くなるため、前述のようにこの回動途中位置を超えるまではいずれの回動方向への回動に際しても付勢力７による戻り付勢力が生じ、よって回動開始位置に戻ろうとする位置保持作用が生じると共に、第一部材１に対して第二部材２をスライドさせて第二部材２の左右直角が回動の支障とならないように持ち上がりつつ回動する。そして、この付勢力７の付勢に抗して連結ピン３に対してスライドガイド部４をスライド移動させつつ回動途中位置を超えると、今度はこの付勢力７の付勢力が進み付勢力となって連結ピン３に対して戻りスライドガイド部４は逆方向にスライド移動しつつ回動することとなる。
【００４４】
従って、この回動途中位置を超えると、後は軽い力で回動できたり、自動的に回動したりさせることができると共に、９０度回動位置が位置保持され、また一度持ち上がりつつ回動した第二部材２が元に戻るようにして回動することになる。
【００４５】
尚、本発明は、実施例に限られるものではなく、各構成要件の具体的構成は適宜設計し得るものである。
【図面の簡単な説明】
【００４６】
【図１】本実施例の９０度回動して縦長ディスプレイ状態から横長ディスプレイ状態に切り替えた状態での使用状態を示す説明斜視図である。
【図２】本実施例の回動連結装置の説明斜視図である。
【図３】本実施例の回動連結装置の要部の説明分解斜視図である。
【図４】本実施例の回動連結装置の説明分解斜視図である。
【図５】本実施例の使用状態の説明正面図である。
【図６】本実施例の使用状態の（縦長ディスプレイ状態と横長ディスプレイ状態での）説明側断面図である。
【図７】本実施例の縦長ディスプレイ状態から横長ディスプレイ状態への回動途中の説明正面図である。
【図８】本実施例の縦長ディスプレイ状態から横長ディスプレイ状態へ９０度回動完了した状態の説明正面図である。
【図９】本実施例の縦長ディスプレイ状態から横長ディスプレイ状態へ９０度回動完了した状態（図８とは逆方向に９０度回動完了した状態）の説明正面図である。
【符号の説明】
【００４７】
１  第一部材
１Ａ  第一取付部
２  第二部材
２Ａ  第二取付部
３  連結ピン
４  スライドガイド部
５  カム当接部
６  カム縁
６Ａ  基準位置
７  付勢部
９  カム溝
10  バネ取付部
【図１】
2008278165.tif 000003
【図２】
2008278165.tif 000004
【図３】
2008278165.tif 000005
【図４】
2008278165.tif 000006
【図５】
2008278165.tif 000007
【図６】
2008278165.tif 000008
【図７】
2008278165.tif 000009
【図８】
2008278165.tif 000010
【図９】
2008278165.tif 000011